(57)【要約】【課題】呼び出しエリアを複数の無線基地局で形成する場合でも、すでに通信中の移動無線端末装置に対する新たな着呼に費やす無線リソースを節約する。【解決手段】通信装置１００は、PHS網とは別に設けた通信網を通じて同じ呼び出しエリアＰＡ−１に属する無線基地局ＣＳ２の通信装置２００と通信して、互いに自己を通じて通信中の移動局ＰＳの情報を交換し、新たな着呼メッセージをPHS網から受信した場合に、自己を通じて通信中の移動局ＰＳであれば、PHS網から受信した着呼メッセージを対応する無線基地局ＣＳ１に転送し、一方、他の通信装置２００を通じて通信中の移動局ＰＳであれば、PHS網から受信した着呼メッセージを破棄して、対応する無線基地局１００から移動局ＰＳへの着呼メッセージの送信を抑制するようにしたものである。【選択図】      図１
2008199201.tif 000002
【特許請求の範囲】
【請求項１】
同じ呼び出しエリア内に配設された複数の無線基地局が１つのグループとして対応づけられ、移動通信網から前記呼び出しエリア内に位置する移動局宛ての着呼メッセージを受信した場合に、前記複数の無線基地局がそれぞれ前記移動局宛てに着呼メッセージを送信する移動通信システムで用いられ、前記複数の無線基地局のうち、少なくともいずれか１つに対応づけられる通信装置であって、
同じ呼び出しエリアに属する他の無線基地局を通じて通信中の移動局の識別情報を記憶する記憶手段と、
移動通信網から移動局宛ての着呼メッセージを受信する受信手段と、
この受信手段が着呼メッセージを受信した場合に、この着呼メッセージに含まれる移動局の識別情報と、前記記憶手段が記憶する情報とに基づいて、前記着呼メッセージが同じ呼び出しエリアに属する他の無線基地局を通じて通信中の移動局宛てのものであるか否かを判定する判定手段と、
この判定手段が、他の無線基地局を通じて通信中の移動局宛てのものであると判定した場合に、前記着呼メッセージを、当該通信装置に対応づけられた無線基地局に送出しない制御手段とを具備することを特徴とする通信装置。
【請求項２】
前記記憶手段は、当該通信装置に対応づけられた無線基地局を通じて通信中の移動局の識別情報を記憶し、
前記判定手段は、前記受信手段が着呼メッセージを受信した場合に、この着呼メッセージに含まれる移動局の識別情報と、前記記憶手段が記憶する情報とに基づいて、前記着呼メッセージが当該通信装置に対応づけられた無線基地局を通じて通信中の移動局であるか否かを判定し、
前記制御手段は、前記判定手段が、当該通信装置に対応づけられた無線基地局を通じて通信中の移動局であると判定した場合に、前記着呼メッセージを、当該通信装置に対応づけられた無線基地局に送出することを特徴とする請求項１に記載の通信装置。
【請求項３】
さらに、当該通信装置に対応づけられた無線基地局を通じて通信中の移動局の識別情報を検出する検出手段と、
この検出手段が検出した識別情報を、前記記憶手段に記録する記録手段と、
前記検出手段が検出した識別情報を、同じ呼び出しエリアに属する他の無線基地局に対応づけられた通信装置に送信する通信手段とを備えることを特徴とする請求項１または請求項２に記載の通信装置。
【請求項４】
さらに、同じ呼び出しエリアに属する他の無線基地局に対応づけられた通信装置から、他の無線基地局を通じて通信中の移動局の識別情報を受信する通信手段と、
この通信手段が受信した識別情報を、前記記憶手段に記録する記録手段とを備えることを特徴とする請求項１または請求項２に記載の通信装置。
【請求項５】
前記通信手段は、前記移動通信網とは別の回線を通じて通信を行うことを特徴とする請求項３または請求項４に記載の通信装置。
【請求項６】
同じ呼び出しエリア内に配設された複数の無線基地局が１つのグループとして対応づけられ、移動通信網から前記呼び出しエリア内に位置する移動局宛ての着呼メッセージを受信した場合に、前記複数の無線基地局がそれぞれ前記移動局宛てに着呼メッセージを送信する移動通信システムで用いられ、前記複数の無線基地局のうち、少なくともいずれか１つに対応づけられる通信装置の通信方法であって、
同じ呼び出しエリアに属する他の無線基地局を通じて通信中の移動局の識別情報を前記記憶手段が記憶する記憶工程と、
移動通信網から移動局宛ての着呼メッセージを受信する受信工程と、
この受信工程で着呼メッセージを受信した場合に、この着呼メッセージに含まれる移動局の識別情報と、前記記憶手段が記憶する情報とに基づいて、前記着呼メッセージが同じ呼び出しエリアに属する他の無線基地局を通じて通信中の移動局宛てのものであるか否かを判定する判定工程と、
この判定工程で、他の無線基地局を通じて通信中の移動局宛てのものであると判定した場合に、前記着呼メッセージを、当該通信装置に対応づけられた無線基地局に送出しない制御工程とを具備することを特徴とする通信方法。
【請求項７】
前記記憶工程で、当該通信装置に対応づけられた無線基地局を通じて通信中の移動局の識別情報を前記記憶手段に記憶し、
前記受信手段が着呼メッセージを受信した場合に、前記判定工程で、この着呼メッセージに含まれる移動局の識別情報と、前記記憶手段が記憶する情報とに基づいて、前記着呼メッセージが当該通信装置に対応づけられた無線基地局を通じて通信中の移動局であるか否かを判定し、
前記判定工程が当該通信装置に対応づけられた無線基地局を通じて通信中の移動局であると判定した場合に、前記制御工程で、前記着呼メッセージを、当該通信装置に対応づけられた無線基地局に送出することを特徴とする請求項６に記載の通信方法。
【請求項８】
さらに、当該通信装置に対応づけられた無線基地局を通じて通信中の移動局の識別情報を検出する検出工程と、
この検出工程で検出した識別情報を、前記記憶手段に記録する記録工程と、
前記検出工程で検出した識別情報を、同じ呼び出しエリアに属する他の無線基地局に対応づけられた通信装置に送信する通信工程とを備えることを特徴とする請求項６または請求項７に記載の通信方法。
【請求項９】
さらに、同じ呼び出しエリアに属する他の無線基地局に対応づけられた通信装置から、他の無線基地局を通じて通信中の移動局の識別情報を受信する通信工程と、
この通信工程で受信した識別情報を、前記記憶手段に記録する記録工程とを備えることを特徴とする請求項６または請求項７に記載の通信方法。
【請求項１０】
前記通信工程では、前記移動通信網とは別の回線を通じて通信を行うことを特徴とする請求項８または請求項９に記載の通信方法。
【発明の詳細な説明】
【技術分野】
【０００１】
この発明は、例えばPHS(Personal Handyphone System)などの移動通信システムにおいて、無線基地局とネットワークの間に介在する通信装置に関する。
【背景技術】
【０００２】
周知のように、PHS(Personal Handyphone System)などの移動通信システムでは、多数の無線基地局を広範なエリアに分散配置し、無線基地局が移動無線端末装置と無線通信する。また無線基地局は、移動通信網に収容され、移動無線端末装置は、無線基地局および移動通信網を介して通信を行う（例えば、特許文献１参照）。
【０００３】
また特にPHSにあっては、無線基地局がグループ化されて１つの呼び出しエリアを形成する。そして、着信時には、着信のあった移動無線端末装置が位置する呼び出しエリアに属する全ての無線基地局より上記移動無線端末装置に宛てた着信信号を送信し、これらの無線基地局のうち、いずれか１つの無線基地局に宛てて移動無線端末装置が応答信号を送信することで、呼接続が成立する。
【０００４】
しかしながら、PHSのように、着信時に複数の無線基地局を通じて移動無線端末装置を呼び出すシステムの場合、呼が確定して通信が開始された後に、同じ移動無線端末装置宛ての呼び出しが発生すると、通信が行えないにもかかわらず、呼び出しエリアに属する基地局は、再び、それぞれ無線リソースを確保して着信信号を送信するため、無線リソースの利用効率が低いという問題があった。
【特許文献１】特開２０００−２７０３７３公報。
【発明の開示】
【発明が解決しようとする課題】
【０００５】
従来の移動通信システムでは、すでに通信中の移動無線端末装置に対しても、同じ呼び出しエリアを形成する複数の無線基地局が、無線リソースを確保して着信信号を送信するため、無線リソースの利用効率が低いという問題があった。
【０００６】
この発明は上記の問題を解決すべくなされたもので、呼び出しエリアを複数の無線基地局で形成する場合でも、すでに通信中の移動無線端末装置に対する新たな着呼に費やす無線リソースを節約することが可能な通信装置および通信方法を提供することを目的とする。
【課題を解決するための手段】
【０００７】
上記の目的を達成するために、この発明は、同じ呼び出しエリア内に配設された複数の無線基地局が１つのグループとして対応づけられ、移動通信網から前記呼び出しエリア内に位置する移動局宛ての着呼メッセージを受信した場合に、複数の無線基地局がそれぞれ移動局宛てに着呼メッセージを送信する移動通信システムで用いられ、複数の無線基地局のうち、少なくともいずれか１つに対応づけられる通信装置であって、同じ呼び出しエリアに属する他の無線基地局を通じて通信中の移動局の識別情報を記憶する記憶手段と、移動通信網から移動局宛ての着呼メッセージを受信する受信手段と、この受信手段が着呼メッセージを受信した場合に、この着呼メッセージに含まれる移動局の識別情報と、記憶手段が記憶する情報とに基づいて、着呼メッセージが同じ呼び出しエリアに属する他の無線基地局を通じて通信中の移動局宛てのものであるか否かを判定する判定手段と、この判定手段が、他の無線基地局を通じて通信中の移動局宛てのものであると判定した場合に、着呼メッセージを、当該通信装置に対応づけられた無線基地局に送出しない制御手段とを具備して構成するようにした。
【発明の効果】
【０００８】
以上述べたように、この発明では、同じ呼び出しエリアに属する他の無線基地局を通じて通信中の移動局の識別情報を記憶し、着呼メッセージを受信した場合に、他の無線基地局を通じて通信中の移動局であれば、着呼メッセージを無線基地局に送出しないようにしている。
【０００９】
したがって、この発明によれば、呼び出しエリアを複数の無線基地局で形成する場合でも、すでに通信中の移動局に対する新たな着呼に費やす無線リソースを節約することが可能な通信装置および通信方法を提供できる。
【発明を実施するための最良の形態】
【００１０】
以下、図面を参照して、この発明の一実施形態について説明する。  
図１は、この発明に係わる通信装置が用いられる移動通信システムの構成の一部を示すものである。無線基地局ＣＳ１〜ＣＳ３は、それぞれ対応する通信装置１００〜３００を通じて、PHS(Personal Handyphone System)網に収容される。
【００１１】
PHS網は、無線基地局ＣＳ１とＣＳ２を１つの呼び出しエリアＰＡ−１を形成するグループとして扱い、無線基地局ＣＳ３が属する呼び出しエリアＰＡ−２と区別している。そして、PHS網は、移動局ＰＳの位置情報を管理し、呼び出しエリアＰＡ−１に位置する移動局ＰＳ宛ての着信があった場合には、呼び出しエリアＰＡ−１に属する無線基地局ＣＳ１およびＣＳ２を通じて、移動局ＰＳ宛ての着信信号を送信する。
【００１２】
通信装置１００〜３００は、例えば交換局内に設けられたITX(IP Transit eXchange)などの通信装置であって、上記PHS網とは別の通信網にも収容され、通信装置１００〜３００間で通信が可能となっている。図２に、通信装置１００〜３００の構成例を示す。この図に示すように、通信装置１００〜３００は、それぞれ基地局インタフェース１０〜１ｎと、PHS網インタフェース２０と、通信網インタフェース３０と、メモリ４０と、制御部５０とを備える。
【００１３】
基地局インタフェース１０〜１ｎは、それぞれ対応する無線基地局と通信するためのインタフェースであって、有線回線により直結されている。PHS網インタフェース２０は、PHS網と通信するためのインタフェースである。通信網インタフェース３０は、通信網を介して他の通信装置と通信するためのインタフェースである。
【００１４】
メモリ４０は、制御プログラムや制御データを記憶するものであって、当該通信装置に固有に割り当てられた識別情報を記憶するとともに、例えば図３に示すような移動局管理データを記憶する。この移動局管理データは、当該通信装置や同一グループの通信装置を介して通信中の移動局ＰＳの識別情報（加入者情報）と、その通信で直接無線通信している無線基地局を収容する通信装置の識別情報とを対応づけたものである。
【００１５】
制御部５０は、CPU(Central Processing Unit)を備えて、種々の情報を処理して、当該通信装置の各部を統括して制御するものであって、メモリ４０に記憶される制御プログラムや制御データに基づいて動作し、無線基地局を介した移動局ＰＳに対する着信制御、無線基地局を介した移動局ＰＳからの発信要求に伴う発信制御、無線基地局を介した移動局ＰＳとPHS網との間で通信リンクを確立するための制御、他の通信装置との間で制御情報を交換するための通信制御などを行う。
【００１６】
次に上記構成の通信装置１００〜３００の動作について説明する。図４は、PHS網から、自己が属する呼び出しエリアに位置する移動局ＰＳ宛ての着信が発生した場合の動作を説明するフローチャートである。このフローチャートは、制御部５０がメモリ４０の制御プログラムや制御データにしたがって動作することにより為されるものであって、通信装置の電源が投入されている間、繰り返し実行される。
【００１７】
まず、ステップ４ａにおいて制御部５０は、PHS網インタフェース２０がPHS網から受信した信号を監視し、自己が属する呼び出しエリアに位置する移動局ＰＳ宛ての着信が発生した（着呼メッセージを受信した）か否かを判定する。ここで、上記着信が発生した場合には、ステップ４ｂに移行し、一方、上記着信が発生していない場合には、再びステップ４ａにて着信の発生を監視する。
【００１８】
なお、着信の発生を検出した場合には、呼び出しエリアに属する他の無線基地局に対応づけられた通信装置においても、同様にして着信の発生が検出されている。すなわち、図１の例において、通信装置１００（無線基地局ＣＳ１に対応）が着信の発生を検出した場合には、これと同じ呼び出しエリアに属する他の無線基地局ＣＳ２に対応する通信装置２００も、同様にして着信の発生を検出する。
【００１９】
ステップ４ｂにおいて制御部５０は、PHS網から受信した着信信号から、宛先（着信先）となる移動局ＰＳの識別情報（加入者番号）を検出し、ステップ４ｃに移行する。  
ステップ４ｃにおいて制御部５０は、メモリ４０が記憶する移動局管理データを参照し、ステップ４ｂで検出した加入者番号の移動局ＰＳが、当該通信装置を介して、既に通信中であるか否かを判定する。ここで、既に当該通信装置を介して通信中の場合には、ステップ４ｄに移行し、一方、当該通信装置を介した通信中でない場合には、ステップ４ｅに移行する。
【００２０】
ステップ４ｄにおいて制御部５０は、既に通信中の上記基地局に対応する基地局インタフェース（１０〜１ｎのいずれか）を制御して、対応する無線基地局に対して、ステップ４ｂで検出した加入者番号の移動局ＰＳに、現在行っている通信とは別に、着信が発生したことを通知するように指示して、当該処理を終了する。これにより、上記無線基地局は、ステップ４ｂで検出した加入者番号の移動局ＰＳに、現在行っている通信とは別に、着信が発生したことを通知する。この通知を受けた移動局ＰＳは、この旨をユーザに報知する。
【００２１】
ステップ４ｅにおいて制御部５０は、メモリ４０が記憶する移動局管理データを参照し、ステップ４ｂで検出した加入者番号の移動局ＰＳが、同じ呼び出しエリアの他の通信装置を介して、既に通信中であるか否かを判定する。ここで、既に上記他の通信装置を介して通信中の場合には、当該処理を終了し、一方、上記他の通信装置を介した通信中でない場合には、ステップ４ｆに移行する。
【００２２】
ステップ４ｆにおいて制御部５０は、対応する無線基地局に対して、ステップ４ｂで検出した加入者番号の移動局ＰＳに、着信が発生したことを通知するように指示して、ステップ４ｇに移行する。これにより、上記無線基地局は、ステップ４ｂで検出した加入者番号の移動局ＰＳに、着信が発生したことを通知する呼出信号を送信する。この呼出信号を受信した移動局ＰＳは、着信の発生をユーザに報知する。
【００２３】
そして、この報知に気づいたユーザが、移動局ＰＳのキー入力部を操作するなどして、着信に応答する要求を行うと、移動局ＰＳは、最も受信品質が良好な無線基地局に宛てて、着信に応答する旨を示す応答信号を送信する。これに対して、応答信号を受信した無線基地局（ＣＳ１〜ＣＳ３）は、対応する通信装置（１００〜３００）に対して応答信号を受信した旨を通知する。
【００２４】
ステップ４ｇにおいて制御部５０は、基地局インタフェース１０〜１ｎが、対応する基地局から応答信号を受信した旨の通知を受けたか否かを判定する。ここで、上記通知を受けた場合には、ステップ４ｋに移行し、一方、上記通知が受けていない場合には、ステップ４ｈに移行する。
【００２５】
ステップ４ｈにおいて制御部５０は、通信網インタフェース３０が、通信網を介して、同じ呼び出しエリアの他の基地局に対応する通信装置から応答信号を受信した旨の通知を受けたか否かを判定する。ここで、上記通知を受けた場合には、ステップ４ｉに移行し、一方、上記通知が受けていない場合には、再びステップ４ｆに移行して、対応する基地局を通じた呼出信号の送出を継続する。
【００２６】
ステップ４ｉにおいて制御部５０は、通信網インタフェース３０が、通信網を介して、同じ呼び出しエリアの他の基地局に対応する通信装置から通知される識別情報を検出し、ステップ４ｊに移行する。なお、ここで検出する識別情報は、後述するステップ４ｋで当該通信装置が他の通信装置に送出する識別情報と同様であり、同様にして他の通信装置から送出されるものであって、送信元となる通信装置（移動局ＰＳの応答を検出した通信装置）の識別情報と、上記移動局の加入者番号が含まれる。
【００２７】
ステップ４ｊにおいて制御部５０は、ステップ４ｉで検出した識別情報（応答を受信した他の通信装置の識別情報と、応答した移動局ＰＳの加入者番号）を対応づけて、メモリ４０の移動局管理データに記録し、当該処理を終了する。
【００２８】
一方、ステップ４ｋにおいて制御部５０は、通信網インタフェース３０を制御して、ステップ４ｂで検出した移動局ＰＳの加入者番号と、当該通信装置の識別情報を対応づけた識別情報を、同じ呼び出しエリアの他の通信装置に送出し、ステップ４ｌに移行する。
【００２９】
ステップ４ｌにおいて制御部５０は、ステップ４ｂで検出した移動局ＰＳの加入者番号と、当該通信装置の識別情報を対応づけた識別情報とを対応づけて、当該通信装置を介して通信中の移動局ＰＳとしてメモリ４０の移動局管理データに記録し、ステップ４ｍに移行する。
【００３０】
ステップ４ｍにおいて制御部５０は、応答信号を受信した基地局に対応する基地局インタフェース（１０〜１ｎのいずれか）およびPHS網インタフェース２０をそれぞれ制御して、対応する基地局およびPHS網と連携して、所定のプロトコルにしたがって情報を交換し、移動局ＰＳが通信できるように通信リンクを確立する制御を行い、ステップ４ｎに移行する。以後、この通信リンクを通じて、移動局ＰＳは通信を開始する。
【００３１】
ステップ４ｎにおいて制御部５０は、ステップ４ｍで確立した通信リンクを切断する旨の信号を受信したか否かを判定する。すなわち、上記基地局インタフェース（１０〜１ｎのいずれか）が対応する無線基地局を通じて移動局ＰＳより切断要求信号を受信したか、あるいはPHS網インタフェース２０がPHS網から切断要求信号を受信したか否かを判定する。ここで、いずれかの切断要求信号を受信した場合には、ステップ４ｏに移行し、通信が継続している場合には、そのままステップ４ｎで切断要求信号の検出を継続する。
【００３２】
ステップ４ｏにおいて制御部５０は、対応する基地局インタフェース（１０〜１ｎのいずれか）およびPHS網インタフェース２０をそれぞれ制御して、対応する基地局およびPHS網と連携して、所定のプロトコルにしたがって情報を交換し、ステップ４ｍで確立した通信リンクを解放（切断）する制御を行い、ステップ４ｐに移行する。
【００３３】
ステップ４ｐにおいて制御部５０は、通信網インタフェース３０を制御して、ステップ４ｋで通知した識別情報を、終話を示す情報と共に、同じ呼び出しエリアの他の通信装置に送出し、ステップ４ｑに移行する。  
ステップ４ｑにおいて制御部５０は、ステップ４ｌでメモリ４０の移動局管理データに記録した情報を削除し、当該処理を終了する。
【００３４】
次に、同じ呼び出しエリアに属する他の通信装置を介した通信が終了した場合の制御について説明する。この制御は、図５に示すフローチャートにしたがって行われる。この制御も図４の制御と同様に、制御部５０がメモリ４０の制御プログラムや制御データにしたがって動作することにより為されるものであって、通信装置の電源が投入されている間、繰り返し実行される。
【００３５】
まずステップ５ａにおいて制御部５０は、通信網インタフェース３０が通信網を通じて、同じ呼び出しエリアに属する他の通信装置から受信する情報を監視し、ステップ４ｏに相当する通知を、上記他の通信装置から受信したか否かを判定する。すなわち、同じ呼び出しエリアに属する他の通信装置を通じて行われていた通信が終了する旨の通知を受信したか否かを監視する。ここで、上記通知を受信した場合には、ステップ５ｂに移行し、一方、上記通知を受信しない場合には、引き続きステップ５ａにて上記通知の監視を継続する。
【００３６】
ステップ５ｂにおいて制御部５０は、ステップ５ａで受信した通知から、この通知の送信元を示す通信装置の識別情報と、この通信装置を介して通信していた移動局ＰＳの加入者番号とを検出し、ステップ５ｃに移行する。
【００３７】
ステップ５ｃにおいて制御部５０は、ステップ５ｂで検出した通信装置の識別情報と移動局ＰＳの加入者番号とを対応づけた情報を、メモリ４０の移動局管理データから削除し、当該処理を終了する。これにより、他の通信装置を介して為されていた通信が終了するのに応動して、メモリ４０の移動局管理データが更新される。
【００３８】
次に、自己が属する呼び出しエリアに位置する移動局ＰＳから発信が発生した場合の動作を説明する。この処理を図６のフローチャートに示す。このフローチャートは、制御部５０がメモリ４０の制御プログラムや制御データにしたがって動作することにより為されるものであって、通信装置の電源が投入されている間、繰り返し実行される。
【００３９】
まず、ステップ６ａにおいて制御部５０は、基地局インタフェース１０〜１ｎが無線基地局から受信した信号を監視し、自己が属する呼び出しエリアに位置する移動局ＰＳから発信が発生したか否かを判定する。ここで、上記発信が発生した場合には、ステップ６ｂに移行し、一方、上記発信が発生していない場合には、再びステップ６ａにて発信の発生を監視する。
【００４０】
ステップ６ｂにおいて制御部５０は、無線基地局を通じて移動局ＰＳから受信した発信信号から、発信元となる上記移動局ＰＳの識別情報（加入者番号）を検出し、ステップ６ｃに移行する。
【００４１】
ステップ６ｃにおいて制御部５０は、通信網インタフェース３０を制御して、ステップ６ｂで検出した移動局ＰＳの加入者番号と、当該通信装置の識別情報を対応づけた識別情報を、同じ呼び出しエリアの他の通信装置に送出し、ステップ６ｄに移行する。
【００４２】
ステップ６ｄにおいて制御部５０は、ステップ６ｂで検出した移動局ＰＳの加入者番号と、当該通信装置の識別情報を対応づけた識別情報とを対応づけて、当該通信装置を介して通信中の移動局ＰＳとしてメモリ４０の移動局管理データに記録し、ステップ６ｅに移行する。
【００４３】
ステップ６ｅにおいて制御部５０は、発信を受信した基地局に対応する基地局インタフェース（１０〜１ｎのいずれか）およびPHS網インタフェース２０をそれぞれ制御して、対応する基地局およびPHS網と連携して、所定のプロトコルにしたがって情報を交換し、移動局ＰＳが通信できるように通信リンクを確立する制御を行い、ステップ６ｆに移行する。以後、この通信リンクを通じて、移動局ＰＳは通信を開始する。
【００４４】
ステップ６ｆにおいて制御部５０は、ステップ６ｅで確立した通信リンクを切断する旨の信号を受信したか否かを判定する。すなわち、上記基地局インタフェース（１０〜１ｎのいずれか）が対応する無線基地局を通じて移動局ＰＳより切断要求信号を受信したか、あるいはPHS網インタフェース２０がPHS網から切断要求信号を受信したか否かを判定する。ここで、いずれかの切断要求信号を受信した場合には、ステップ６ｇに移行し、通信が継続している場合には、そのままステップ６ｆで切断要求信号の検出を継続する。
【００４５】
ステップ６ｇにおいて制御部５０は、上記基地局インタフェース（１０〜１ｎのいずれか）およびPHS網インタフェース２０をそれぞれ制御して、対応する基地局およびPHS網と連携して、所定のプロトコルにしたがって情報を交換し、ステップ６ｅで確立した通信リンクを解放（切断）する制御を行い、ステップ６ｈに移行する。
【００４６】
ステップ６ｈにおいて制御部５０は、通信網インタフェース３０を制御して、ステップ６ｃで通知した識別情報を、終話を示す情報と共に、同じ呼び出しエリアの他の通信装置に送出し、ステップ６ｉに移行する。  
ステップ６ｉにおいて制御部５０は、ステップ６ｄでメモリ４０の移動局管理データに記録した情報を削除し、当該処理を終了する。
【００４７】
次に、自己が属する呼び出しエリアに位置して通信中の移動局ＰＳ宛てにPHS網から着呼メッセージを受信した場合の動作を説明する。この処理を図７のフローチャートに示す。このフローチャートは、制御部５０がメモリ４０の制御プログラムや制御データにしたがって動作することにより為されるものであって、通信装置の電源が投入されている間、繰り返し実行される。
【００４８】
まず、ステップ７ａにおいて制御部５０は、PHS網インタフェース２０がPHS網から受信した信号を監視し、自己が属する呼び出しエリアに位置する移動局ＰＳ宛ての着呼メッセージを受信したか否かを判定する。ここで、上記着呼メッセージを受信した場合には、ステップ７ｂに移行し、一方、上記着呼メッセージを受信しない場合には、再びステップ７ａにて着呼メッセージの受信を監視する。  
ステップ７ｂにおいて制御部５０は、ステップ７ａで受信した着呼メッセージから宛先となる移動局ＰＳの加入者番号を検出し、ステップ７ｃに移行する。
【００４９】
ステップ７ｃにおいて制御部５０は、メモリ４０の移動局管理データを参照し、ステップ７ｂで検出した加入者番号の移動局ＰＳが、当該通信装置を介した通信中の移動局ＰＳであるか否かを判定する。ここで、当該通信装置を介した通信中の移動局ＰＳである場合には、ステップ７ｄに移行し、一方、当該通信装置を介した通信中の移動局ＰＳでない場合には、ステップ７ｅに移行する。
【００５０】
ステップ７ｄにおいて制御部５０は、ステップ７ａで受信した着呼メッセージを、対応する無線基地局に転送し、当該処理を終了する。これにより、着呼メッセージが転送された無線基地局は、通信中の移動局ＰＳに対して、新たな着信が別途発生した旨を通知する。
【００５１】
一方、ステップ７ｅにおいて制御部５０は、ステップ７ａで受信した着呼メッセージを破棄し、当該処理を終了する。これにより、当該通信装置に対応する無線基地局は、他の無線基地局を通じて通信中の移動局ＰＳのために、着呼メッセージを送信しないため、無線リソースが節約される。
【００５２】
次に、図８を参照して、移動局ＰＳに着信が発生した場合のシーケンスを示して、通信装置の動作を説明する。なお、図８の例では、移動局ＰＳが、無線基地局ＣＳ１を最寄りの無線基地局とする場所に位置している際に、着信が発生した場合を示している。
【００５３】
PHS網は、図示しない通信装置から移動局ＰＳ宛ての着信を検出すると（シーケンスＳ８０）、予め収集しておいた移動局ＰＳの位置情報に基づいて、無線基地局ＣＳ１を通じて着信の発生を報知する呼出信号を送信させるとともに（シーケンスＳ８１）、無線基地局ＣＳ１と同じ呼び出しエリアに属する無線基地局ＣＳ２を通じて着信の発生を報知する呼出信号を送信させる（シーケンスＳ８２）。
【００５４】
この呼出信号を受信した移動局ＰＳでは、上記呼出信号を受信すると、着信の発生をユーザに報知し、これに対してユーザがキー入力部を操作するなどして、着信に応答する要求を行う（シーケンスＳ８３）。すると、移動局ＰＳは、最も受信品質が良好な無線基地局ＣＳ１に宛てて、着信に応答する旨を示す応答信号を送信する着呼シーケンスを実行する（シーケンスＳ８４）。
【００５５】
そして、無線基地局ＣＳ１を通じて応答信号を受信した通信装置１００は、前述のステップ４ｋの制御により、同じ呼び出しエリアに属する他の通信装置２００に対して、シーケンスＳ８１（ステップ４ｂ）で検出した移動局ＰＳの加入者番号と、当該通信装置１００の識別情報を対応づけた識別情報を送出する（シーケンスＳ８５）。
【００５６】
ここで、通信装置１００では、シーケンスＳ８１（ステップ４ｂ）で検出した移動局ＰＳの加入者番号と、当該通信装置の識別情報を対応づけた識別情報とを対応づけて、当該通信装置を介して通信中の移動局ＰＳとしてメモリ４０の移動局管理データに記録する（ステップ４ｌ）。一方、通信装置２００では、通信装置１００から送出された識別情報を検出し（ステップ４ｉ）、これ（応答を受信した通信装置１００の識別情報と、応答した移動局ＰＳの加入者番号）をメモリ４０の移動局管理データに記録する（ステップ４ｊ）。
【００５７】
移動局ＰＳは、無線基地局ＣＳ１、通信装置１００を介して、PHS網と通信リンクを確立するリンク確立シーケンスを実行し、発呼元との間で通信リンクを確立する（シーケンスＳ８６、ステップ４ｍ）。
【００５８】
やがて、移動局ＰＳにて通話を終了するために、キー入力部などを通じてユーザが終話操作を行うと（シーケンスＳ８７、ステップ４ｎ）、移動局ＰＳは、切断要求信号を送出し、無線基地局ＣＳ１、通信装置１００を介して、PHS網と通信リンクを解放するリンク解放シーケンスを実行し、発呼元との間に確立していた通信リンクを解放する（シーケンスＳ８８、ステップ４ｏ）。
【００５９】
そして、通信装置１００は、シーケンスＳ８５（ステップ４ｋ）で通知した識別情報を、終話を示す情報と共に、同じ呼び出しエリアの他の通信装置２００に送出する（シーケンスＳ８９）。
【００６０】
ここで、通信装置１００では、シーケンスＳ８１（ステップ４ｂ）で検出した移動局ＰＳの加入者番号と、当該通信装置の識別情報を対応づけた識別情報とを対応づけた情報をメモリ４０の移動局管理データから削除する（ステップ４ｑ）。一方、通信装置２００では、通信装置１００から送出された識別情報を検出し（ステップ５ｂ）、これ（応答を受信した通信装置１００の識別情報と、応答した移動局ＰＳの加入者番号）をメモリ４０の移動局管理データから削除する（ステップ５ｃ）。
【００６１】
次に、図９を参照して、移動局ＰＳが発信を行った場合のシーケンスを示して、通信装置の動作を説明する。なお、図９の例では、移動局ＰＳが、無線基地局ＣＳ１を最寄りの無線基地局とする場所に位置している際に、発信を行った場合を示している。
【００６２】
移動局ＰＳにおいて、ユーザがキー入力部などを操作して発信操作を行うと（シーケンスＳ９０）、移動局ＰＳは、最寄りの無線基地局ＣＳ１に宛てて発信信号を送信し、これに応動して、無線基地局ＣＳ１および通信装置１００は、上記発信信号をPHS網に転送する（シーケンスＳ９１）。
【００６３】
また通信装置１００は、上記発信信号を検出すると（ステップ６ａ）、発信信号の送信元である移動局ＰＳの加入者番号を検出し（ステップ６ｂ）、通信網を介して、同じ呼び出しエリアに属する他の通信装置２００に対して、ステップ６ｂで検出した移動局ＰＳの加入者番号と、当該通信装置１００の識別情報を対応づけた識別情報を送出する（シーケンスＳ９５、ステップ６ｃ）。
【００６４】
これに対して、通信装置２００では、通信装置１００から送出された識別情報を検出し、これ（発信信号を受信した通信装置１００の識別情報と、発信した移動局ＰＳの加入者番号）をメモリ４０の移動局管理データに記録する。また、通信装置１００では、ステップ６ｂで検出した移動局ＰＳの加入者番号と、当該通信装置の識別情報を対応づけて、当該通信装置を介して通信中の移動局ＰＳとしてメモリ４０の移動局管理データに記録する（ステップ６ｄ）。
【００６５】
移動局ＰＳから発信信号を受信したPHS網は、無線基地局ＣＳ１および通信装置１００を介して移動局ＰＳとの間で発呼シーケンスを実行して（シーケンスＳ９３）、発信先の通信局に呼出信号を送出し、やがて、発信先の通信局から応答があると、移動局ＰＳおよびPHS網は、無線基地局ＣＳ１および通信装置１００を介して、通信リンクを確立するリンク確立シーケンスを実行し、発信先の通信局との間で通信リンクを確立する（シーケンスＳ９４、ステップ６ｅ）。
【００６６】
やがて、移動局ＰＳにて通話を終了するために、キー入力部などを通じてユーザが終話操作を行うと（シーケンスＳ９５、ステップ６ｆ）、移動局ＰＳは、切断要求信号を送出し、無線基地局ＣＳ１、通信装置１００を介して、PHS網と通信リンクを解放するリンク解放シーケンスを実行し、発呼元との間に確立していた通信リンクを解放する（シーケンスＳ９６、ステップ６ｇ）。
【００６７】
そして、通信装置１００は、シーケンスＳ９２（ステップ６ｃ）で通知した識別情報を、終話を示す情報と共に、同じ呼び出しエリアの他の通信装置２００に送出する（シーケンスＳ９７）。
【００６８】
ここで、通信装置１００では、ステップ６ｂで検出した移動局ＰＳの加入者番号と、当該通信装置の識別情報を対応づけた識別情報とを対応づけた情報をメモリ４０の移動局管理データから削除する（ステップ６ｉ）。一方、通信装置２００では、通信装置１００から送出された識別情報を検出し、これ（応答を受信した通信装置１００の識別情報と、応答した移動局ＰＳの加入者番号）をメモリ４０の移動局管理データから削除する。
【００６９】
次に、図８に示したシーケンス（移動局ＰＳに着信した場合）や図９に示したシーケンス（移動局ＰＳが発信した場合）にしたがって、通信リンクが確立されて通信が開始されたのちに、別の着信が移動局ＰＳに発生した場合の動作について説明する。ここでは、移動局ＰＳが無線基地局ＣＳ１を通じて通信中の場合を例に挙げて説明する。
【００７０】
シーケンスＳ８６やシーケンスＳ９４によって通信が開始された状態（シーケンスＳ１０１）において、PHS網が、移動局ＰＳに新たに別の着信が発生したことを検出すると（シーケンスＳ１０２）、PHS網は、移動局ＰＳの通信に用いられる無線基地局ＣＳ１やこれと同じ呼び出しエリアに属する無線基地局ＣＳ２に宛てて、移動局ＰＳの加入者番号を含んだ着呼メッセージを送出する（シーケンスＳ１０３、Ｓ１０４）。
【００７１】
通信装置１００は、上記着呼メッセージを受信すると、受信した着呼メッセージから宛先となる移動局ＰＳの加入者番号を検出（ステップ７ａ）し、メモリ４０の移動局管理データを参照して、検出した加入者番号の移動局ＰＳが、当該通信装置１００を介した通信中の移動局ＰＳであるか否かを判定する。ここで、通信装置１００は、移動局ＰＳが当該通信装置１００を介した通信中であることを検出するために、受信した着呼メッセージを、対応する無線基地局ＣＳ１に転送する。これにより、着呼メッセージが転送された無線基地局ＣＳ１は、通信中の移動局ＰＳに対して、新たな着信が別途発生した旨を通知する。
【００７２】
一方、通信装置２００は、上記着呼メッセージを受信すると、受信した着呼メッセージから宛先となる移動局ＰＳの加入者番号を検出（ステップ７ａ）し、メモリ４０の移動局管理データを参照して、検出した加入者番号の移動局ＰＳが、当該通信装置２００を介した通信中の移動局ＰＳであるか否かを判定する。ここで、通信装置２００は、移動局ＰＳが当該通信装置２００を介した通信中ではないことを検出するために、受信した着呼メッセージを破棄する。これにより、通信装置２００に対応する無線基地局ＣＳ２は、他の無線基地局ＣＳ１を通じて通信中の移動局ＰＳのために、着呼メッセージを送信しないため、無線リソースが節約される。
【００７３】
以上のように、上記構成の通信装置１００〜３００では、PHS網とは別に設けた通信網（通信回線）を通じて同じ呼び出しエリアに属する無線基地局の通信装置と通信して、互いに自己を通じて通信中の移動局ＰＳの情報を交換し、新たな着呼メッセージをPHS網から受信した場合に、自己を通じて通信中の移動局ＰＳであれば、PHS網から受信した着呼メッセージを対応する無線基地局に転送し、一方、他の通信装置を通じて通信中の移動局ＰＳでなければ、PHS網から受信した着呼メッセージを破棄して、対応する無線基地局から移動局ＰＳへの着呼メッセージの送信を抑制するようにしている。
【００７４】
したがって、上記構成の通信装置によれば、呼び出しエリアを複数の無線基地局で形成する場合でも、すでに通信中の移動無線端末装置に対する新たな着呼に費やす無線リソースを節約することができる。
【００７５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００７６】
その一例として例えば、上記実施の形態では、通信装置１００〜３００は、無線基地局ＣＳ１、ＣＳ２、ＣＳ３とPHS網の間に設けるようにしたが、無線基地局ＣＳ１、ＣＳ２、ＣＳ３にそれぞれ設けるようにしてもよい。すなわち、通信装置１００〜３００により実現する機能を各無線基地局ＣＳ１、ＣＳ２、ＣＳ３にそれぞれ設けるようにしてもよい。この場合、通信装置（無線基地局）間で、無線通信により情報を交換するようにしてもよい。
【００７７】
また、通信装置１００〜３００により実現する機能をそれぞれPHS網に設けるようにしてもよい。PHS網に設ける場合には、通信装置１００〜３００に相当する機能が近接することになるため、通信網は短距離の接続で実現できることになる。  
その他、この発明の要旨を逸脱しない範囲で種々の変形を施しても同様に実施可能であることはいうまでもない。
【図面の簡単な説明】
【００７８】
【図１】この発明に係わる通信装置が用いられる移動通信システムの一実施形態の構成を示す図。
【図２】図１に示した通信装置の構成を示す回路ブロック図。
【図３】図２に示した通信装置のメモリに記憶される移動局管理データの一例を示す図。
【図４】図１に示した通信装置の動作を説明するためのフローチャート。
【図５】図１に示した通信装置の動作を説明するためのフローチャート。
【図６】図１に示した通信装置の動作を説明するためのフローチャート。
【図７】図１に示した通信装置の動作を説明するためのフローチャート。
【図８】図１に示した移動通信システムの動作を説明するためのシーケンス図。
【図９】図１に示した移動通信システムの動作を説明するためのシーケンス図。
【図１０】図１に示した移動通信システムの動作を説明するためのシーケンス図。
【符号の説明】
【００７９】
１０…基地局インタフェース、２０…PHS網インタフェース、３０…通信網インタフェース、４０…メモリ、５０…制御部、１００〜３００…通信装置、ＣＳ１〜ＣＳ３…無線基地局、ＰＡ−１，ＰＡ−２…呼び出しエリア、ＰＳ…移動局。
【図１】
2008199201.tif 000003
【図２】
2008199201.tif 000004
【図３】
2008199201.tif 000005
【図４】
2008199201.tif 000006
【図５】
2008199201.tif 000007
【図６】
2008199201.tif 000008
【図７】
2008199201.tif 000009
【図８】
2008199201.tif 000010
【図９】
2008199201.tif 000011
【図１０】
2008199201.tif 000012